(57)【要約】      （修正有）【課題】放射性廃棄物発電装置での廃棄物タンクで、核種同士の干渉により、所要の電荷を得られない。【解決手段】導体・絶縁体・導体でセットし、セットとセットのスキマ１ｃｍを理想として、このスキマに放射性廃棄物を敷き詰める。導体・絶縁体・導体のセットで放射性廃棄物に直接触れる導体は正極として、絶縁体をはさみ導体と、放射性廃棄物に触れない導体は負極として、β線が通過して来て、放射性廃棄物に触れない導体で、β線を遮断して電子を取り込んで、負に帯電を促す。放射性廃棄物と直接触れる導体と次の絶縁体とはβ線を通す厚さにして、β核種の正の電荷を保護して、導体を正極にする。絶縁体を介して、電子を遮断する導体は負に帯電する。蓋は、水を内包する蓋として、放射線を遮断する。【選択図】なし【特許請求の範囲】
【請求項１】
放射廃棄物発電装置で廃棄物タンクの構造の設計に関して、廃棄物同士の干渉を避けて、通電効率を上げる為に、スキマ１ｃｍを理想として、製作限界にて決定し、このスキマに放射性廃棄物を詰めて、導体・絶縁体・導体で構造を組み、廃棄物に接する導体を正極とし、絶縁体の下で直接廃棄物に接しない導体を負極する。
このスキマ１ｃｍを理想とするのは、β線が１ｃｍ位で物質に遮断される事より１ｃｍ以下であれば物質を通す事によって設計する。
形状は、設計如何に関わらず、このスキマを利用した設計であれば、全て網羅する。
蓋は、水を充満させた構造で、放射線を遮断する。
【発明の詳細な説明】
【技術分野】
【０００１】    本発明は放射性廃棄物発電装置の廃棄物タンク内よりの発電効率に関する
【背景技術】
【０００２】  現在放射性廃棄物処理で廃棄物タンク内での各種核種の干渉を避けるために、構造的発案にて、通電効率をアップさせる。
【先行文献】
【０００３】  モーズリーの放射線による高電圧の測定実験より
放射性廃棄物発電装置
【発明の概要】
【発明が解決しようとする課題】
【０００４】  廃棄物タンクに放射性廃棄物をただ投入するだけでは、核種同士で、β線を遮断してしまい、電子を内部で止めてしまい外壁に電子を供給出来るのは、外壁に接している１部の核種で１〜２％に過ぎず、内部はほとんど干渉されて、β線の高速電子は内部で停止して、β核種の陽子核による正極に引き込まれるであろう。
【課題を解決するための手段】
【０００５】  β線がアルミ１ｃｍで遮断される事に着目してβ核種から１ｃｍ以内であれば、β線は通り抜けて来るだろうと思われ、放射廃棄物を１ｃｍ（製作限界により決定）位のスキマに詰める様にして、導体・絶縁体・導体として、廃棄物に接する導体を正極として、導体・絶縁体の構造をなるべく１ｃｍ以下にして、β線を通して、最後の導体で遮断される様に設計し、導体に電子が帯電する様にする。
【発明の効果】
【０００６】  通電効率が１〜２％だった物が、製作限界などとの兼合いもありますが、７０〜８０％以上の通電効率があると思われます。
【発明を実施するための形態】
【０００７】  スキマ１ｃｍを理想として、製作限界にて決定して、ある高さに導体を立て、負極とし絶縁体を貼り付け又はコーティングして、その上に導体を敷き詰めて、導体・絶縁体・導体で１セットとして、このセットとセットのスキマに放射性廃棄物を敷き詰める。
【産業上の利用の可能性】
【０００８】  放射性廃棄物発電装置の通電効率上重要な発明であり、その装置には欠かせないものであり、産業上も発電及びエネルギー供給に寄与する。
2020067445.tif 000002
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
放射廃棄物発電装置で廃棄物タンクの構造の設計に関して、廃棄物同士の干渉を避けて、通電効率を上げる為に、スキマ１ｃｍを理想として、製作限界にて決定し、このスキマに放射性廃棄物を詰めて、導体・絶縁体・導体で構造を組み、廃棄物に接する導体を正極とし、絶縁体の下で直接廃棄物に接しない導体を負極する。
このスキマ１ｃｍを理想とするのは、β線が１ｃｍ位で物質に遮断される事より１ｃｍ以下であれば物質を通す事によって設計する。
形状は、設計如何に関わらず、このスキマを利用した設計であれば、全て網羅する。
蓋は、水を充満させた構造で、放射線を遮断する。
このスキマによる総体積が放射性廃棄物の総容積で発電能力の算定をする。
【手続補正２】
【補正対象書類名】明細書
【補正対象項目名】全文
【補正方法】変更
【補正の内容】
【発明の詳細な説明】
【技術分野】
【０００１】  本発明は放射性廃棄物発電装置の廃棄物タンク内よりの発電効率に関する
【背景技術】
【０００２】  現在放射性廃棄物処理で廃棄物タンク内での各種核種の干渉を避けるために、構造的発案にて、通電効率をアップさせる。
【先行文献】
【０００３】  モーズリーの放射線による高電圧の測定実験より
放射性廃棄物発電装置
【発明の概要】
【発明が解決しようとする課題】
【０００４】  廃棄物タンクに放射性廃棄物をただ投入するだけでは、核種同士で、β線を遮断してしまい、電子を内部で止めてしまい外壁に電子を供給出来るのは、外壁に接している１部の核種で１〜２％に過ぎず、内部はほとんど干渉されて、β線の高速電子は内部で停止して、β核種の陽子核による正極に引き込まれるであろう。
【課題を解決するための手段】
【０００５】  β線がアルミ１ｃｍで遮断される事に着目してβ核種から１ｃｍ以内であれば、β線は通り抜けて来るだろうと思われ、放射性廃棄物を１ｃｍ（製作限界により決定）位のスキマに詰める様にして、導体・絶縁体・導体として、廃棄物に接する導体を正極として、導体・絶縁体の構造をなるべく１ｃｍ以下にして、β線を通して、最後の導体で遮断される様に設計し、導体に電子が帯電する様にする。
【発明の効果】
【０００６】  通電効率が１〜２％だった物が、製作限界などとの兼合いもありますが、７０〜８０％以上の通電効率があると思われます。
【発明を実施するための形態】
【０００７】  スキマ１ｃｍを理想として、製作限界にて決定して、ある高さに導体を立て、負極とし絶縁体を貼り付け又はコーティングして、その上に導体を敷き詰めて、導体・絶縁体・導体で１セットとして、このセットとセットのスキマに放射性廃棄物を敷き詰める。
【産業上の利用の可能性】
【０００８】  放射性廃棄物発電装置の通電効率上重要な発明であり、その装置には欠かせないものであり、産業上も発電及びエネルギー供給に寄与する。
【図面の簡単な説明】
【０００９】
【図１】は、導体・絶縁体・導体の流れを、棒状にたてた負極導体バーに、絶縁コーティングなどをして、絶縁し、カバーのようにバーに導体カバーをして、正極とする。底も、タンク外壁（底面）を負極導体とし、内側を絶縁コーティングなどで絶縁し、正極導体はバー（導体）が、底面と接する様に丸軸加工でｆ７／Ｈ７加工して、負極導体（バーと底面）とし、底面の上にバーを逃げる様に薄板（正極導体）に切り欠きを設け、この薄板と、正極バーのカバーとを点付け溶接して、通電出来る様にする。側壁も同様に、導体側壁に内側を絶縁コーティングし、その内側に薄板（正極）を貼り付ける。放射性廃棄物と接する薄板は導体とし、正極を担い、絶縁コーティングで絶縁し、負極導体でβ線の電子の運動エネルギーを失わせて、自由電子として、負に帯電させる。この図はそのイメージ図です。
【手続補正書】
【提出日】平成31年1月29日(2019.1.29)
【手続補正１】
【補正対象書類名】明細書
【補正対象項目名】全文
【補正方法】変更
【補正の内容】
【発明の詳細な説明】
【技術分野】
【０００１】  本発明は放射性廃棄物発電装置の廃棄物タンク内よりの発電効率に関する
【背景技術】
【０００２】  現在放射性廃棄物処理で廃棄物タンク内での各種核種の干渉を避けるために、構造的発案にて、通電効率をアップさせる。
【先行文献】
【０００３】  モーズリーの放射線による高電圧の測定実験より
放射性廃棄物発電装置
【発明の概要】
【発明が解決しようとする課題】
【０００４】  廃棄物タンクに放射性廃棄物をただ投入するだけでは、核種同士で、β線を遮断してしまい、電子を内部で止めてしまい外壁に電子を供給出来るのは、外壁に接している１部の核種で１〜２％に過ぎず、内部はほとんど干渉されて、β線の高速電子は内部で停止して、β核種の陽子核による正極に引き込まれるであろう。
【課題を解決するための手段】
【０００５】  β線がアルミ１ｃｍで遮断される事に着目してβ核種から１ｃｍ以内であれば、β線は通り抜けて来るだろうと思われ、放射性廃棄物を１ｃｍ（製作限界により決定）位のスキマに詰める様にして、導体・絶縁体・導体として、廃棄物に接する導体を正極として、導体・絶縁体の構造をなるべく１ｃｍ以下にして、β線を通して、最後の導体で遮断される様に設計し、導体に電子が帯電する様にする。
【発明の効果】
【０００６】  通電効率が１〜２％だった物が、製作限界などとの兼合いもありますが、７０〜８０％以上の通電効率があると思われます。
【発明を実施するための形態】
【０００７】  スキマ１ｃｍを理想として、製作限界にて決定して、ある高さに導体を立て、負極とし絶縁体を貼り付け又はコーティングして、その上に導体を敷き詰めて、導体・絶縁体・導体で１セットとして、このセットとセットのスキマに放射性廃棄物を敷き詰める。
【産業上の利用の可能性】
【０００８】  放射性廃棄物発電装置の通電効率上重要な発明であり、その装置には欠かせないものであり、産業上も発電及びエネルギー供給に寄与する。
【図面の簡単な説明】
【０００９】
【図１】  断面立面図
【図２】  断面平面図  矢視Ａ―Ａ
【図３】  断面拡大図  ａ部詳細
【図４】  断面拡大図  ｂ部詳細
【図５】  全図に渡り印の物質名の列記  （図１）は、導体・絶縁体・導体の流れを、棒状にたてた負極導体バーに、絶縁コーティングなどをして、絶縁し、カバーのようにバーに導体カバーをして、正極とする。底も、タンク外壁（底面）を負極導体とし、内側を絶縁コーティングなどで絶縁し、正極導体はバー（導体）が、底面と接する様に丸軸加工でｆ７／Ｈ７加工して、負極導体（バーと底面）とし、底面の上にバーを逃げる様に薄板（正極導体）に切り欠きを設け、この薄板と、正極バーのカバーとを点付け溶接して、通電出来る様にする。側壁も同様に、導体側壁に内側を絶縁コーティングし、その内側に薄板（正極）を貼り付ける。
放射性廃棄物と接する薄板は導体とし、正極を担い、絶縁コーティングで絶縁し、負極導体でβ線の電子の運動エネルギーを失わせて、自由電子として、負に帯電させる。
この図はそのイメージ図です。
【符号の説明】
【００１０】矢視Ａ−Ａは断面平面図で［図１］で見る方向と何処を切って見ているかを表している。
ａ部詳細は断面拡大図で［図１］でどの部分の拡大図かを示している。
ｂ部詳細は断面拡大図で［図１］でどの部分の拡大図かを示している。
【手続補正２】
【補正対象書類名】図面
【補正対象項目名】全図
【補正方法】変更
【補正の内容】
【図１】
2020067445.tif 000003
【図２】
2020067445.tif 000004
【図３】
2020067445.tif 000005
【図４】
2020067445.tif 000006
【図５】
2020067445.tif 000007